(57)【要約】【課題】  クリップを用いなくとも簡単に取り付け可能で、かつ、簡単に取り外しができ、さらには、融通性および汎用性に富み、多様な形状および大きさの被防護物の絶縁に使用できる防護用絶縁シートを提供する。【解決手段】  柔軟な電気絶縁シート（１）からなる防護用絶縁シートであって、該絶縁シートは少なくとも一対の板状永久磁石（Ｍ１、Ｍ４）を備え、該一対の板状永久磁石は、該絶縁シートを折り畳んだ時に互いに対向して引き合うように配置されていることを特徴とする防護用絶縁シート。板状永久磁石は、電気絶縁シートに形成されたポケット（４１）に収容することができる。【選択図】  図１
2006340462.tif 000002
【特許請求の範囲】
【請求項１】
柔軟な電気絶縁シート（１）からなる防護用絶縁シートであって、該絶縁シート（１）は少なくとも一対の板状永久磁石（Ｍ１、Ｍ４）を備え、該一対の板状永久磁石（Ｍ１、Ｍ４）は、該絶縁シート（１）を折り畳んだ時に互いに対向して引き合うように配置されていることを特徴とする防護用絶縁シート。
【請求項２】
前記絶縁シート（１）は、２列に配置された複数対の板状永久磁石（Ｍ１、Ｍ４；Ｍ２、Ｍ５；Ｍ３、Ｍ６）を備え、これらの列の間で前記絶縁シートを折り曲げて折り畳んだ時に、両列が対向するとともに、相互に対向する一対の板状永久磁石（Ｍ１、Ｍ４；Ｍ２、Ｍ５；Ｍ３、Ｍ６）が互いに引き合うようにされていることを特徴とする請求項１に記載の防護用絶縁シート。
【請求項３】
前記板状永久磁石（Ｍ１〜Ｍ６）のそれぞれは、隣接する板状永久磁石と互いに異なる極の側を向けて配置されている請求項２に記載の防護用絶縁シート。
【請求項４】
前記板状永久磁石（Ｍ１〜Ｍ６）のそれぞれは、前記絶縁シートに形成されたそれぞれのポケット（４１）に収容されている請求項１乃至３の何れか１項に記載の防護用絶縁シート。
【発明の詳細な説明】
【技術分野】
【０００１】
本発明は防護用絶縁シートに関し、さらに詳細には、高圧活線作業等において感電防止や短絡・地絡事故防止のために、電線等の充電部や腕金等の接地部に被覆して使用される防護用絶縁シートであって、取り付け及び取り外しが簡単に行えるものに関する。
【背景技術】
【０００２】
変圧器などの電柱周辺機器の保全、修理および交換などの作業は活線作業と称され、電柱の電線に６６００ボルトの高圧電流が通電されたままで行われるので危険な作業であり、例えば、感電事故や、導電性の大きい物体が複数の電線に接触するなどして停電事故や大きなアークを発生する短絡事故、電線と大地間の絶縁が破れ電線から電流が流れて停電事故を惹起する地絡事故などが発生することがある。
【０００３】
活線作業には、直接活線作業工法と間接活線作業工法とがある。直接活線作業工法は各種の絶縁手袋または絶縁ゴム長靴などの保護具を着用して作業する工法であり、間接活線作業工法はホットスティックまたは絶縁ヤットコと称される絶縁棒などの間接活線作業工具を使用して通電中の電線等の通電部から６０センチメートル以上離れて前記通電部に接触して作業する工法である。このようにして、何れの工法においても、活線作業における短絡事故、地絡事故及び感電事故などの発生を防止している。
【０００４】
また、間接活線作業工法では、絶縁棒が電線や腕金等に触れて地絡事故が起きるのを防止するために、電線等の充電部や腕金等の接地部に防護用絶縁シートを被覆して作業が行われる。かかる防護用絶縁シートは、例えば、実開昭５６−１７１５２１公報、実開昭６３−１７５５４９公報、特開平９−１９１５１８号公報、特開２００１−２３１１１８号公報、特開平１０−２７１６２８号公報等に開示されている。しかし、これらの防護用絶縁シートは、クリップにより挟持して電線等に固定するものであり、クリップの取り付けに時間がかかり、また、クリップを紛失または破損した場合には風や振動で位置がずれるといった問題があった。
【０００５】
クリップが不要な防護用絶縁シートとして、たとえば、特開平６−４４８４７号公報には、軟質樹脂よりなる絶縁シートが表裏から積層され、硬質樹脂にて略円弧状断面を有する樋状に形成された成形体を有し、該成形体の端縁から前記軟質樹脂よりなる絶縁シートが延在せしめられ、延在せしめられた軟質樹脂よりなる絶縁シートに面ファスナーを取り付けたものが提案されている。しかしながら、この防護用絶縁シートは、硬質樹脂にて略円弧状断面を有する樋状に形成された成形体を有しているため、融通性が欠け、被防護物の形状および大きさは制限され、しかも、構造が複雑であるとの欠点があった。
【０００６】
また、特開平８−３３１３８号公報には、絶縁性気体を注入することにより略中空直方体状に膨らむ絶縁シート製の袋体により構成された間接活線工法用被覆材が開示されている。しかしながら、この被覆材は、これに絶縁性気体を注入するために、圧縮機のような機器が必要であり、また、その形状が特異であり、また厚さが大きく容積が大きいために、汎用性に乏しく、被防護物の形状および大きさは制限され、しかも、構造が複雑であるとの欠点があった。
【０００７】
【特許文献１】実開昭５６−１７１５２１公報
【特許文献２】実開昭６３−１７５５４９公報
【特許文献３】特開平９−１９１５１８号公報
【特許文献４】特開２００１−２３１１１８号公報
【特許文献５】特開平１０−２７１６２８号公報
【特許文献６】特開平６−４４８４７号公報
【特許文献７】特開平８−３３１３８号公報
【発明の開示】
【発明が解決しようとする課題】
【０００８】
本発明の目的は、従来の防護用絶縁シートにおける前記のような課題を解決し、特に、クリップを用いなくとも簡単に取り付け可能で、かつ、簡単に取り外しができ、さらには、融通性および汎用性に富み、多様な形状および大きさの被防護物の絶縁に使用できる防護用絶縁シートを提供することにある。
【課題を解決するための手段】
【０００９】
本発明によれば、上記目的は、下記（１）〜（４）の防護用絶縁シートによって達成される。
（１）柔軟な電気絶縁シートからなる防護用絶縁シートであって、該絶縁シートは少なくとも一対の板状永久磁石を備え、該一対の板状永久磁石は、該絶縁シートを折り畳んだ時に互いに対向して引き合うように配置されていることを特徴とする防護用絶縁シート。
（２）前記絶縁シートは、２列に配置された複数対の板状永久磁石を備え、これらの列の間で前記絶縁シートを折り曲げて折り畳んだ時に、両列が対向するとともに、相互に対向する一対の板状永久磁石が互いに引き合うようにされていることを特徴とする上記（１）に記載の防護用絶縁シート。
（３）前記板状永久磁石のそれぞれは、隣接する板状永久磁石と互いに異なる極の側を向けて配置されている上記（２）に記載の防護用絶縁シート。
（４）前記板状永久磁石のそれぞれは、前記絶縁シートに形成されたそれぞれのポケットに収容されている上記（１）乃至（３）の何れか１つに記載の防護用絶縁シート。
【発明の効果】
【００１０】
本発明の防護用絶縁シートは、折り畳んだときに一対の永久磁石が相互に対向して引き合うように配置されているので、電線などの被防護物の周囲に吊り下げて折り畳まれた時に自動的に一対の磁石が相互に吸引して被防護物に巻き付いて固定され、これにより直接電線などの充電部の絶縁が可能となる。また、本発明の防護用絶縁シートは、これに配置された磁石のそれぞれが腕金などの被防護物の金属面に直接吸着されるので、上記絶縁シートを用いて当該面を部分的に被覆絶縁できる。
このように、例えば活線作業中に絶縁棒などの操作棒が接触する可能性が高い電線や金属製の腕金などの被防護物の外面を上記絶縁シートにより被覆絶縁しておくことで、作業対象の電線などの充電部から操作棒表面を介して腕金などへの電気の漏れを防止する（通り道を遮断する）ことが可能となり、その結果、地絡事故などを未然に防止できる。
また、本発明の防護用絶縁シートには磁石が配置されているので、使用に際してクリップを用いて固定する必要がなく、また、風や振動による落下も防止でき、取り外しも容易なので、活線作業の省力化が達成できる。
【発明を実施するための最良の形態】
【００１１】
本発明の防護用絶縁シートを構成する柔軟な電気絶縁シートとしては、手で自由に折り畳める程度の可撓性を備え、活線作業おける高圧電流に耐えるに十分な電気絶縁性を備え、かつ、使用時に破損しない程度の機械強度を備えればよく、特に制限はなく、例えば、従来から防護用絶縁シートして用いられているゴム製又はプラスチック製の防護シートをそのまま使用することができるが、ポリ塩化ビニル製などのビニルシートからなる軽量のものが好ましい。たとえば、６００ボルトより高く７０００ボルト以下の高圧の場合には複数のビニルシートを積層した積層ビニルシートが好適に使用できる。６００ボルトより低い低圧の場合には単層のビニルシートであってもよい。
【００１２】
本発明の防護用絶縁シートを構成する板状永久磁石には特に制限はないが、平面形状が円形または長方形もしくは正方形、厚さが３〜４ミリメートル、直径または対角線の長さが４０〜６５ミリメートル程度の板状磁石が好ましい。また、プラスチックに磁石を練り込んで成形した板状永久磁石を使用してもよい。これらの板状磁石の磁力は、上記のように絶縁シートを電線などに巻き付けて固定した場合や送電鉄塔の腕金などの金属部に吸着させた場合にずれない強さであればよく、作業中に操作棒が当たっても容易にずれたりしない強さであることが好ましい。
【００１３】
本発明の防護用絶縁シートは、板状永久磁石を少なくとも一対備えていればよく、この一対の磁石は、該絶縁シートを折り畳んだ時に互いに対向して位置して互いに引き合うように該絶縁シートに配置されていればよい。すなわち、該絶縁シートを折り畳んだ時に、一対の磁石の一方の磁石のＳ極と他方の磁石のＮ極が互いに対向して位置して両磁石が自然に引き合うように配置すればよい。
【００１４】
板状永久磁石を二対以上用いる場合は２列以上に並べて配置するとよい。例えば、板状永久磁石を２列に配置する場合、上記電気絶縁シートを２列の概略格子状の区画に区切り、各区画に板状永久磁石を配置させればよい。この場合、両列の間には、防護用絶縁シートを折り畳み易くするために、一条の柔軟な折曲部を設けておくことが好ましい。板状永久磁石を３列以上に配置する場合、上記と同様に、上記絶縁シートを３列以上の概略格子状の区画に区切り、各区画に板状永久磁石を配置させればよく、隣接する列の間には、上記と同様の折曲部を設けておくことが好ましい。
【００１５】
各板状永久磁石は、防護用絶縁シートを折り畳んだ時に対向する他の板状永久磁石と引き合うように配置されていればよい。例えば、防護用絶縁シートを展開した状態において、同一の列に属する板状永久磁石は同じ極を向けて配置し、それに隣接する列に属する板状永久磁石は他の極を向けて配置するようにしてもよく、具体的には、例えば、第一の列に配置された板状永久磁石は総てＳ極を向けて配置させ、第二の列に配置された板状永久磁石は総てＮ極を向けて配置させることができる。また、防護用絶縁シートを展開した状態において、総ての板状永久磁石が互い違いに異なる極を向けて配置するようにしてもよく、すなわち、概略格子状の区画に配置された各板状永久磁石が上下左右に隣接する板状永久磁石と互いに異なる極を向けて配置するようにしてもよい。
【００１６】
板状永久磁石は、例えば、防護用絶縁シートに接着したり、包入することにより所定位置に配置することができるが、防護用絶縁シートを格子状に区画して、各区画内に形成されたポケットに収容できるようにすることが好ましく、この場合、ポケットを開閉自在として、板状永久磁石をポケットから出し入れ自在にすることもできる。
【００１７】
本発明の防護用絶縁シートは、板状永久磁石が配置されていない部分が柔軟性を備えており、その形状を自由に変化させることができるので、たとえば、電線、電柱の腕金、碍子、引き下げ線などの被防護物を被覆して使用することができ、一対の板状永久磁石の吸引力により、被防護物に巻き付けられる。また、電柱に設けられたトランスや金属製の部材の表面にも吸着するので、かかる装置や部材の外面を被覆して保護するためにも使用できる。また、電線、電柱の腕金などに配置された他の絶縁シートなどを固定するために、他の絶縁シートに被覆させて、クリップ代わりとして使用することもできる。
【００１８】
以下、本発明を図面に示された実施態様により、さらに、具体的に、かつ、詳細に説明するが、本発明は図面に示された実施態様に限定されるものではない。また、図面は模式図であって、寸法、相対的な位置および大きさなどは正確に示されていない。なお、上、下、左、右は図面における上、下、向かって左、向かって右を意味する。
【実施例１】
【００１９】
図１は、板状永久磁石が２列に配置された本発明の防護用絶縁シートを示す。図１において、（ａ）は防護用絶縁シートを展開状態で示す平面図、（ｂ）は（ａ）のＢ−Ｂ断面図、（ｃ）は使用状態で示す（ａ）の防護用絶縁シートの斜視図である。
【００２０】
図１の防護用絶縁シートは、概略Ａ４サイズの長方形のビニルシート１からなる電気絶縁シートの表面に、概略正方形の板状永久磁石を２列に配列したものであり、各列は３個の板状永久磁石からなる。ビニルシート１は、従来から電気絶縁シートとして用いられているシートと同様の構成を備え、１０枚程度のビニルシートを積層して６６００Ｖ耐圧とされたものである。
【００２１】
ビニルシート１は、その表面を６つの格子状に区分した領域にそれぞれポケット４１を備えている。このポケット４１は、ビニルシート１の一層を形成しているシートと同様の材質の小さな矩形の小型シート３を、ビニルシート１の表面に熱融着することにより形成されている。具体的には、小型シート３は、他の列に対向する辺以外の３辺が熱融着され、熱融着されていない開口４２から板状永久磁石Ｍ１…Ｍ６を出し入れできるようにされている。なお、開口４２は、使用時に板状永久磁石Ｍ１…Ｍ６が脱落するのを防止するために、面ファスナーなどによって閉止できるようにしておくことが好ましい。また、板状永久磁石Ｍ１…Ｍ６をポケット４１に収容して開口４２を熱融着して封止し、板状永久磁石Ｍ１…Ｍ６とビニルシート１とを一体化してもよい。板状永久磁石Ｍ１、Ｍ２、Ｍ３からなる左側の列と板状永久磁石Ｍ４、Ｍ５、Ｍ６からなる右側の列との間はビニルシート１自体からなる折り曲げ可能な柔軟な領域とされており、一条の折曲部２を形成している。また、同一の列において上下に隣接するポケット４１の間もビニルシート１自体からなり、柔軟性を備えているので、この部分で折り曲げることも可能である。
【００２２】
図１の例では、各ポケット４１に配置された各板状永久磁石４２は、防護用絶縁シートの展開状態で、隣接する板状永久磁石と互いに異なる極の側を向けて配置されている。すなわち、左側の列の板状磁石Ｍ１、Ｍ２、Ｍ３は、それぞれ、Ｎ極、Ｓ極、Ｎ極を向けて配置され、他方、右側の列の板状磁石Ｍ４、Ｍ５、Ｍ６は、それぞれ、Ｓ極、Ｎ極、Ｓ極を向けて配置されている。
【００２３】
かくして、図１（ｃ）に示されるように、図１の防護用絶縁シート１は、例えば、被防護物Ｇである電線などに折曲部２を沿わせてこれを被覆するように吊り下げると、板状永久磁石Ｍ１、Ｍ２、Ｍ３の列と板状永久磁石Ｍ４、Ｍ５、Ｍ６の列が相互に対向し、対向する一対の板状永久磁石Ｍ１およびＭ４、Ｍ２およびＭ５、Ｍ３およびＭ６の吸引力により被防護物Ｇに巻き付けられる。これにより、上記電線などに充電部が形成されている場合、当該充電部を被覆絶縁でき、その周辺での作業中に操作棒などを介して該充電部から腕金などへの電気の漏れに起因する地絡事故を未然に防止できる。また、防護用絶縁シートはクリップで留めることなく被防護物Gに固定でき、風や振動で脱落することも防止され、取り外しも、一対の板状永久磁石同士の吸引を解くことで容易に行える。
【００２４】
図２および図３は、図１に示す防護用絶縁シート１の使用状態を例示した図であり、いずれも（ａ）は斜視図、（ｂ）は（ａ）のＢ−Ｂ断面図を示している。なお、これらの図では、被防護物Ｇとして腕金などを構成する角型中空の鋼管を示すとともに、防護用絶縁シート１の各列のポケット４１に収容される磁石の極を省略している。
【００２５】
図２に示すように、防護用絶縁シート１は、その折曲部２を被防護物Ｇの角に沿わせて折り曲げられ、両側の磁石Ｍ１、Ｍ２、Ｍ３およびＭ４、Ｍ５、Ｍ６により当該角を挟んで隣接する２つの外面に吸着固定されている。また、図３では、防護用絶縁シート１は、折曲部２に直交するビニルシート部分２１、２１を被防護物Ｇの隣り合う２つの角にそれぞれ沿わせて折り曲げられ、磁石Ｍ１、Ｍ４；Ｍ２、Ｍ５；Ｍ３、Ｍ６により、これら２つの角を形成する３つの外面に略コの字状に吸着固定されている。
【００２６】
活線作業中に操作棒などが接触しやすい鋼管の外面を上記のように本発明の防護用絶縁シート１で部分的に被覆することで、電線などの充電部から操作棒表面などを介して鋼管へ流れる電気の通り道を遮断でき、これにより地絡事故などを未然に防止できる。また、防護用絶縁シート１には上記のとおり複数の磁石が配列されているので、当該絶縁シート１をクリップで留めることなく被防護物Gに固定でき、風や振動などにより容易にずれたり脱落したりすることもなく、鋼管外面から容易に取り外すことができる。なお、図２および図３では、鋼管を被防護物Ｇとしているが、もちろんこれに限られるものではなく、他の断面形状を有する鋼材であっても同様である。
【実施例２】
【００２７】
図４は、板状磁石が６列に配置された本発明の防護用絶縁シートを示す。この図において、（ａ）は防護用絶縁シートを展開状態で示す平面図、（ｂ）は使用状態で示す（ａ）の防護用絶縁シートの正面図である。但し、（ｂ）において被防護物は切断部端面が示されている。
【００２８】
図４に示された防護用絶縁シートは、折曲部２を挟んで左右にそれぞれ板状永久磁石を３列に配列し、折曲部２の左側に配置された板状永久磁石はすべてＮ極を向け、折曲部２の右側に配置された板状永久磁石はすべてＳ極を向けて構成されており、各ポケット４１，５１，６１は板状永久磁石を収容した後に小型シート３の四辺の全てを熱融着により封止して板状永久磁石を封入している以外、図１に示された本発明の防護用絶縁シートと同様の構成を有する。
【００２９】
かくして、図４（ｂ）に示されるように、防護用絶縁シート１は、比較的径の大きい被防護物Ｇの外周に被覆することができ、この場合、被防護物Ｇの外周が金属製であれば、折曲部２に隣接する１又は２列の板状永久磁石が被防護物Ｇに吸着し、被防護物Ｇの外周が金属製でなくとも、折曲部２から離隔した１又は２列の板状永久磁石の列が相互に対向し、対向する一対の板状永久磁石の吸引力により被防護物Ｇに巻きつけられる。また、被防護物Ｇが腕金などの鋼材である場合、当該腕金の外面に直接本発明の防護用絶縁シートを吸着させて部分的に被覆することができる。このように、図４の防護用絶縁シート１は、折曲部２の幅の寸法とは関係なしに、被防護物Ｇの大きさや形状に応じて、これに添着、巻き付け等して被覆することが可能であり、その結果、上記実施形態のものと同様に被防護物Ｇに絶縁を施すことができる。また、図４の絶縁シート１はクリップで留めることなく被防護物に固定でき、風や振動で脱落することも防止され、取り外しも容易に行える。
【産業上の利用可能性】
【００３０】
本発明の防護用絶縁シートは、活線作業工法において、電線および電柱の腕金などの被防護物の絶縁に好適に使用される。
【図面の簡単な説明】
【００３１】
【図１】（ａ）は防護用絶縁シートを展開状態で示す平面図、（ｂ）は（ａ）のＢ−Ｂ断面図、（ｃ）は使用状態で示す（ａ）の防護用絶縁シートの斜視図である。
【図２】図１に示す防護用絶縁シートの１つの使用例を示す図である。
【図３】図１に示す防護用絶縁シートの別の使用例を示す図である。
【図４】（ａ）は防護用絶縁シートを展開状態で示す平面図、（ｂ）は使用状態で示す（ａ）の防護用絶縁シートの正面図である。
【符号の説明】
【００３２】
１…電気絶縁シート
２…折曲部
３…小型シート
４１、５１、６１…ポケット
Ｇ…被防護物
Ｍ１、Ｍ２、Ｍ３、Ｍ４、Ｍ５、Ｍ６…板状永久磁石
【図１】
2006340462.tif 000003
【図２】
2006340462.tif 000004
【図３】
2006340462.tif 000005
【図４】
2006340462.tif 000006